(57)【特許請求の範囲】
【請求項１】
外側に位置する表ライナと内側に位置する裏ライナの間に波状に連続する中しんを配設した段ボール紙からなり、３以上の壁部を有する外周壁と、この外周壁の天面および底面を閉塞する天壁および底壁とを備えた包装箱であって、
前記各壁のうち、前記段ボール紙の肉厚を圧縮するように罫を入れて形成した折曲線を介して連続する第１壁および第２壁において、
前記第１壁に、切断部と非切断部とが交互に設けられ、前記折曲線と交差する端部を前記非切断部とした第１破断線を有する第１破断手段を設けるとともに、
前記第２壁に、前記第１破断線と連続するように切断部と非切断部とが交互に設けられ、前記第１破断手段に沿って前記第１壁を構成する段ボール紙を破断した後、引き続いて前記第２壁を構成する段ボール紙を破断可能とする第２破断線を有する第２破断手段を設け、かつ、
前記折曲線の前記第１破断線と交差する端部に、前記折曲線に沿って延びるように前記裏ライナを切断した破止め用のハーフカット線を設けたことを特徴とする包装箱。
【発明の詳細な説明】
【技術分野】
【０００１】
本発明は、隣接する２つの壁面に亘って破断可能とした段ボール紙製の包装箱に関するものである。
【背景技術】
【０００２】
包装箱には、収容した商品の展示効果を高めたり、商品の取出作業性を向上するために、外周壁を構成する壁部に第１破断手段を設けるとともに、連続した天壁に第２破断手段を設け、２つの壁を破断した開封状態とするものがある。
【０００３】
第１破断手段は、天壁との境界線にかけて延びる第１片ジッパーで構成され、第２破断手段は、第１片ジッパーと連続するように設けた第２片ジッパーで構成される。これら片ジッパーは、所定間隔をもって切断部と非切断部とが交互に設けられたものである。また、切断部の破断方向手前には、破断方向を補正するためのガイド用切断部が設けられている。
【０００４】
第１片ジッパーは、天壁との境界部分である折曲線と交差する端部を切断部によって構成すると、包装箱を積み重ねた際などに加わる垂直方向の力に対抗する圧縮強度が低下する。しかも、包装箱が落下した際には、その衝撃で第１片ジッパーの端部から破れ（破断）が生じる。そのため、折曲線と交差する端部は非切断部によって構成されている。
【０００５】
しかし、段ボール紙製の包装箱は、第１破断手段に沿って壁部を破断した後、引き続いて天壁を破断すると、第１破断手段の端部である非切断部の部分から裏ライナだけが破れ、破断縁に連続した状態で残る。これは、開封時の操作によって裏ライナが引っ張られ、更に破断方向にズレが生じることにより生じるものと考えられる。そして、最悪の場合には、天壁の第２破断縁全体に亘って裏ライナの破れ残りが生じるため、商品の展示効果（外観）が低下するばかりか、商品の取出作業性も悪くなる。
【０００６】
これに対して特許文献１には、壁部と天壁との境界部分に片ジッパーからなる第３破断手段を設けた包装箱が記載されている。この包装箱は、側面に位置する壁部から天壁に亘って分離した第１開封状態と、天壁だけを分離した第２開封状態とが可能である。また、第３破断手段は、第１および第２破断手段と交差する端部を切断線により構成しているため、第１開封状態とする際に、前述した裏ライナだけが破断縁に残ることを防止できる。
【０００７】
しかしながら、特許文献１の包装箱は、第１および第２破断手段の交差点に、更に第３破断手段の切断部が位置しているため、その角部の表ライナが引っ掛かって捲れ、外観が悪くなるという不都合がある。また、角部に多数の切断部が設けられるため、剛性が低下するという不都合がある。
【先行技術文献】
【特許文献】
【０００８】
【特許文献１】特開２０００−１８５７３３号公報
【発明の概要】
【発明が解決しようとする課題】
【０００９】
本発明は、外観や剛性を損なうことなく、確実に２つの壁面に亘って開封することが可能な包装箱を提供することを課題とするものである。
【課題を解決するための手段】
【００１０】
前記課題を解決するため、本発明の包装箱は、外側に位置する表ライナと内側に位置する裏ライナの間に波状に連続する中しんを配設した段ボール紙からなり、３以上の壁部を有する外周壁と、この外周壁の天面および底面を閉塞する天壁および底壁とを備えた包装箱であって、前記各壁のうち、前記段ボール紙の肉厚を圧縮するように罫を入れて形成した折曲線を介して連続する第１壁および第２壁において、前記第１壁に、切断部と非切断部とが交互に設けられ、前記折曲線と交差する端部を前記非切断部とした第１破断線を有する第１破断手段を設けるとともに、前記第２壁に、前記第１破断線と連続するように切断部と非切断部とが交互に設けられ、前記第１破断手段に沿って前記第１壁を構成する段ボール紙を破断した後、引き続いて前記第２壁を構成する段ボール紙を破断可能とする第２破断線を有する第２破断手段を設け、かつ、前記折曲線の前記第１破断線と交差する端部に、前記折曲線に沿って延びるように前記裏ライナを切断した破止め用のハーフカット線を設けた構成としている。
【発明の効果】
【００１１】
本発明の包装箱では、折曲線と交差する第１破断線の端部を非切断部により構成しているため、圧縮強度が低下することを防止できる。また、この非切断部により、第１壁に続いて第２破断線に沿って第２壁を破断する際には裏ライナの破れ残りが生じる可能性があるが、折曲線の端部に、裏ライナを切断したハーフカット線を設けているため、破れ残りを最小限に抑えることができる。よって、裏ライナが第２破断手段の破断縁全体に残り、外観が悪くなって商品の展示効果を低下させたり、取出作業性を損なうことを防止できる。また、ハーフカット線は、裏ライナを切断したものであるため、剛性の低下を最小限に抑えることができるうえ、封緘状態での外観が損なわれることを防止できる。
【図面の簡単な説明】
【００１２】
【図１】本発明に係る実施形態の包装箱を示す斜視図である。
【図２】開封する際の第１状態を示す斜視図である。
【図３】開封する際の第２状態を示し、（Ａ）は上方斜視図、（Ｂ）は要部下方斜視図である。
【図４】包装箱の開封状態を示す斜視図である。
【図５】（Ａ）は包装箱のブランクを示す背面図、（Ｂ）は（Ａ）のＢ部分を示す拡大図である。
【図６】（Ａ），（Ｂ），（Ｃ），（Ｄ）はブランクの各要部を示す拡大断面図である。
【図７】包装箱の変形例を示す斜視図である。
【発明を実施するための形態】
【００１３】
以下、本発明の実施の形態を図面に従って説明する。
【００１４】
図１乃至図６は、本発明に係る実施形態の包装箱を示す。この包装箱は、外周壁を構成する壁部である側壁１１Ａ，１１Ｂおよび端壁１７Ａ，１７Ｂの上下端を、一体的に設けた天壁１３および底壁１０によって閉塞したものである。そして、本実施形態では、側壁１１Ａに第１破断手段を設けるとともに、上側に連続する天壁１３に第２破断手段を設け、これら２つの壁面に亘って開封可能としたものである。
【００１５】
この包装箱は、段ボール紙１を周知の紙器打抜装置によって、図５（Ａ）に示す一枚のブランクとして打ち抜き、所定部位を貼着することにより形成される。段ボール紙１は、図６（Ａ）に示すように、一対の表ライナ２および裏ライナ３の間に、波状に連続する中しん４を配設した周知のものである。そのうち、表ライナ２は包装箱の外側に位置し、裏ライナ３は包装箱の内側に位置するように構成される。なお、図５（Ａ）に示す包装箱のブランクは、裏ライナ３の側から見た状態を示している。
【００１６】
包装箱のブランクは、横長の矩形状をなす底壁１０を備えている。この底壁１０の上下縁には、矩形状をなす第１および第２の側壁１１Ａ，１１Ｂが連設されている。これら底壁１０および側壁１１Ａ，１１Ｂの各境界部分には第１折曲線１２が設けられている。この第１折曲線１２は、図６（Ｂ）に示すように、段ボール紙１の肉厚を圧縮するように裏ライナ３の側から罫を入れて形成した窪みからなる。
【００１７】
上側に位置する第１の側壁１１Ａの上側縁には、底壁１０と略同一の矩形状の天壁１３が連設され、その境界部分に第２折曲線１４が設けられている。また、この天壁１３の上端には更に台形状の糊付片１５が連設され、その境界部分に第３折曲線１６が設けられている。この糊付片１５は、封緘状態で第２の側壁１１Ｂの外面に貼着される。これら底壁１０、側壁１１Ａ，１１Ｂ、天壁１３および糊付片１５は、上下方向に延びる段ボール紙１の中しん４の延び方向に沿って連続するように打ち抜かれている。
【００１８】
また、第１の側壁１１Ａの両端縁には、端壁１７Ａ，１７Ｂを構成する長方形状の第１内フラップ１８Ａ，１８Ｂが連設されている。第２の側壁１１Ｂの両端縁には、同様の第２内フラップ１９Ａ，１９Ｂが連設されている。さらに、底壁１０の両端縁には、内フラップ１８Ａ，１８Ｂ，１９Ａ，１９Ｂの外面側下部に重畳して貼着され、これらと一緒に端壁１７Ａ，１７Ｂを構成する長方形状の第１外フラップ２０Ａ，２０Ｂが連設されている。天壁１３の両端縁には、同様の第２外フラップ２１Ａ，２１Ｂが連設されている。
【００１９】
そのうち、底壁１０と第１外フラップ２０Ａ，２０Ｂとの境界部分には第４折曲線２２が設けられ、第２の側壁１１Ｂと第２内フラップ１９Ａ，１９Ｂの境界部分には第５折曲線２３が設けられている。また、第１の側壁１１Ａと第１内フラップ１８Ａ，１８Ｂの境界部分には、第６折曲線２４と第１破断手段を構成する第１片ジッパー２６が設けられ、天壁１３と第２外フラップ２１Ａ，２１Ｂの境界部分には、第２破断手段を構成する第２片ジッパー２７が設けられている。
【００２０】
そして、第１の側壁（第１壁）１１Ａには、側壁１１Ａを構成する段ボール紙１を破断するための第１破断手段として、横方向に延びるカットテープ２５と、第２折曲線１４にかけて縦方向に延びる第１破断線である前述の第１片ジッパー２６が設けられている。また、天壁（第２壁）１３には、天壁１３を構成する段ボール紙１を破断するための第２破断手段として、第１片ジッパー２６と連続する第２破断線である前述の第２片ジッパー２７が縦方向に延びるように設けられている。
【００２１】
カットテープ２５は、一面に接着剤が塗布された樹脂（ポリプリピレン）製のテープからなる。このカットテープ２５は、一対の第１内フラップ１８Ａ，１８Ｂの両端間にかけて裏ライナ３の表面に貼着されている。即ち、このカットテープ２５は、段ボール紙１を構成する中しん４と直交するように貼着されている。また、カットテープ２５は、段ボール紙１を打ち抜く前の連続シートの状態で貼着され、この状態で紙器打抜装置によって打ち抜かれる。
【００２２】
また、第１の側壁１１Ａの両端には、カットテープ２５上に位置するように破断始点となる把持部２８Ａ，２８Ｂが設けられている。これら把持部２８Ａ，２８Ｂは、カットテープ２５を横断するように延びる略Ｃ字形状の第１切断部２９と、この第１切断部２９の両端から所定間隔をあけた位置からカットテープ２５へ近づくように内向きに傾斜して延びる一対の第２切断部３０とからなる。なお、外フラップ２０Ａ，２０Ｂ，２１Ａ，２１Ｂには、これら把持部２８Ａ，２８Ｂが位置する部分に、把持操作を阻害しないようにするための打抜部３１が設けられている。
【００２３】
第１片ジッパー２６は、側壁１１Ａと第１内フラップ１８Ａ，１８Ｂとの境界部分において、第１切断部２９の上側から第２折曲線１４にかけて設けられている。なお、第６折曲線２４は、側壁１１Ａと第１内フラップ１８Ａ，１８Ｂとの境界部分において、第１切断部２９の下側から第１折曲線１２にかけて設けられている。第２片ジッパー２７は、天壁１３と第２外フラップ２１Ａ，２１Ｂとの境界部分において、第２折曲線１４から第３折曲線１６にかけて設けられている。即ち、第２片ジッパー２７は、側壁１１Ａおよび天壁１３の両方に隣接する端壁（第３壁）１７Ａ，１７Ｂとの境界部分に設けられている。
【００２４】
第１および第２破断線である各片ジッパー２６，２７は、直線上に位置するように切断部３２と非切断部３３とを交互に設け、更に切断部３２の破断方向手前に破断方向を補正するためのガイド用切断部３４を設けた従来と同様のものである。切断部３２は、図６（Ｃ）に示すように、中しん４を含む裏ライナ３から表ライナ２にかけて刃を入れて切断したものである。なお、前述の第１および第２切断部２９，３０も同様である。そして、図５（Ｂ）に示すように、第１片ジッパー２６は、第２折曲線１４と交差する端部を、非切断部３３により構成している。また、第２片ジッパー２７も同様に、第２折曲線１４と交差する端部を非切断部３３により構成している。但し、天壁１３の側に位置する第２片ジッパー２７は、圧縮強度には殆ど影響しないため、第２折曲線１４の側に位置する端部を切断部３２により構成してもよい。
【００２５】
そして、本実施形態では、各片ジッパー２６，２７が交差する第２折曲線１４の端部に、裏ライナ３が大きく破れ残ることを防止するためのハーフカット線３５が設けられている。このハーフカット線３５は、図６（Ｄ）に示すように、裏ライナ３の側から刃を入れて裏ライナ３を切断し、表ライナ２は切断していない非切断部としたものである。中しん４は、途中まで切断した状態を図示しているが、延び方向と刃の方向が同一である場合には、切断されないことがある。また、図示のように中しん４と刃の方向が交差している場合でも、中しん４が弾性的に変形することにより切断されないことがある。
【００２６】
このように構成したブランクは、底壁１０に対して側壁１１Ａ，１１Ｂを折り曲げ、側壁１１Ａに対して天壁１３を折り曲げた後、天壁１３に対して糊付片１５を折り曲げて、この糊付片１５を側壁１１Ｂの上端外面に重畳させて貼着する。また、側壁１１Ａ，１１Ｂに対して内フラップ１８Ａ，１８Ｂ，１９Ａ，１９Ｂを折り曲げた後、底壁１０に対して第１外フラップ２０Ａ，２０Ｂを折り曲げるとともに、天壁１３に対して第２外フラップ２１Ａ，２１Ｂを折り曲げて、これら外フラップ２０Ａ，２０Ｂ，２１Ａ，２１Ｂを内フラップ１８Ａ，１８Ｂ，１９Ａ，１９Ｂの外面に重畳させて貼着する。これにより、図１に示す封緘状態とすることができる。
【００２７】
この封緘状態の包装箱は、第２折曲線１４と交差する第１片ジッパー２６の端部を非切断部３３により構成しているため、圧縮強度が低下することを防止できる。また、包装箱の表面には、破断用の把持部２８Ａ，２８Ｂおよび片ジッパー２６，２７を除いて、何ら破断された部分が現れないため、外観が損なわれることを防止できる。
【００２８】
そして、この包装箱を用いて商品が納入された販売店などでは、側壁１１Ａの一部および天壁１３を破断して取り除いた開封状態とする。具体的には、まず、一方の把持部２８Ａを把持して他方の把持部２８Ｂへ向けて引っ張る。これにより、図２に示すように、側壁１１Ａをカットテープ２５によって引き裂くようにして破断する。なお、把持部２８Ｂを把持して把持部２８Ａの側へ引っ張って破断することもできる。
【００２９】
ついで、カットテープ２５による破断空間に手を差し込み、側壁１１Ａの内側に手を当てて上向きに引き上げる。これにより、図３（Ａ）に示すように、第１片ジッパー２６に沿って側壁１１Ａの上方を破断することができる。そして、この第１片ジッパー２６に沿った側壁１１Ａ上方の破断に引き続いて、第２折曲線１４を逆折りさせながら更に上向きに引き上げることにより、第２片ジッパー２７に沿って天壁１３を破断する。
【００３０】
この際、本実施形態の第１片ジッパー２６は、第２折曲線１４の側の端部を非切断部３３により構成しているため、図３（Ｂ）に示すように、この部分で従来と同様に裏ライナ３の破れ残りが生じることがある。しかし、本発明では、第２折曲線１４の端部に裏ライナ３を切断したハーフカット線３５を設けているため、このハーフカット線３５に達した際に裏ライナ３の破れ残りが停止される。
【００３１】
そのため、図４に示すように、第２片ジッパー２７に沿って天壁１３を破断した状態では、各破断縁に裏ライナ３の破れ残りが生じることを最小限に抑えることができる。即ち、図示のように、購入者が目にし易い第２片ジッパー２７の破断縁には、裏ライナ３の破れ残りが無い状態とすることができる。よって、この開封状態での外観が悪くなって商品の展示効果を低下させたり、取出作業性を損なうことを防止できる。また、ハーフカット線３５は、裏ライナ３を切断したものであるため、封緘状態での剛性の低下を最小限に抑えることができる。
【００３２】
なお、本発明の包装箱は、前記実施形態の構成に限定されるものではなく、種々の変更が可能である。
【００３３】
例えば、前記実施形態では、第１破断手段を構成する第１片ジッパー２６を側壁１１Ａと第１内フラップ１８Ａ，１８Ｂの境界部分に設け、第２破断手段を構成する第２片ジッパー２７を天壁１３と第２外フラップ２１Ａ，２１Ｂの境界部分に設けたが、図７に示すように、中間部分に設ける構成としてもよい。
【００３４】
また、前記実施形態では、ハーフカット線３５の端を、第１および第２片ジッパー２６，２７の端（第１内フラップ１８Ａ，１８Ｂおよび第２外フラップ２１Ａ，２１Ｂとの間のスリット）と交差するように設けたが、ハーフカット線３５は、裏ライナ３の破れ残りを発生させない目的を達成できる範囲で、所定間隔（例えば１ｍｍ以下）をあけて設ける構成としてもよい。
【００３５】
さらに、前記実施形態では、第１破断手段をカットテープ２５と第１片ジッパー２６により構成したが、カットテープ２５の代わりに片ジッパーを所定間隔をもって対称に設けたジッパーにより構成してもよい。または、第１片ジッパー２６を略半円形状をなすように設けることにより、第１破断手段を第１片ジッパー２６だけで構成してもよい。さらにまた、第２破断手段は、第２方ジッパーだけで構成したが、一対の第２片ジッパー２７を連続するように更に第３の破断線を設ける構成としてもよい。
【００３６】
また、前記実施形態では、側壁１１Ａに第１破断手段を設け、天壁１３に第２破断手段を設けたが、折曲線を介して連続する壁であれば同様に適用可能であり、同様の作用および効果を得ることができる。そして、前記実施形態では、平面視矩形状をなす包装箱としたが、側壁１１Ａ，１１Ｂと端壁１７Ａ，１７Ｂの境界部分に面取壁を設けた平面視八角形状や平面視六角形状の包装箱としてもよい。即ち、３以上の壁部を有する外周壁と、この外周壁の天面および底面を閉塞する天壁１３および底壁１０とを備えた包装箱であれば同様に適用可能であり、同様の作用および効果を得ることができる。
【符号の説明】
【００３７】
１…段ボール紙
２…表ライナ
３…裏ライナ
４…中しん
１０…底壁
１１Ａ…側壁（第１壁）
１１Ｂ…側壁
１３…天壁（第２壁）
１４…第２折曲線
１５…糊付片
１７Ａ，１７Ｂ…端壁
１８Ａ，１８Ｂ…第１内フラップ
１９Ａ，１９Ｂ…第２内フラップ
２０Ａ，２０Ｂ…第１外フラップ
２１Ａ，２１Ｂ…第２外フラップ
２５…カットテープ（第１破断手段）
２６…第１片ジッパー（第１破断線）
２７…第２片ジッパー（第２破断線）
３２…切断部
３３…非切断部
３４…ガイド用切断部
３５…ハーフカット線
【図１】
0005694849.tif 000002
【図２】
0005694849.tif 000003
【図３】
0005694849.tif 000004
【図４】
0005694849.tif 000005
【図５】
0005694849.tif 000006
【図６】
0005694849.tif 000007
【図７】
0005694849.tif 000008